(57)【要約】【課題】水制工の施工を良好にし、耐久性や柔軟性も良好にし、建設副産物を材料として利用する。【解決手段】河川７や海岸に陸地から張り出して、或いは河川や海の中に構築する水制工Ａ・Ｂであって、中心部Ｃは、土、石材、或いはコンクリート殻、又はそれらの混合材料を中詰材３とした土のう袋１を設置する。中心部Ｃを囲む水際となる水衝部Ｄには、石材、或いはコンクリート殻、又はそれらの混合材料を中詰材５としたネット状袋材４を配置する。ネット状袋材４は、中詰材４が水流を低減し、生物の生息場所ともなる。中心部Ｃの土を詰めた土のう袋１は、比較的平滑な表面となって、その上を車両が通交でき、植生も可能となる。クレーンによって吊り下げて設置でき、施工性が向上する。【選択図】図１
2010180637.tif 000002
【特許請求の範囲】
【請求項１】
河川や海岸に陸地から張り出して、或いは河川や海の中に構築する水制工であって、
中心部は土砂、石材、或いはコンクリート殻、又はそれらの混合材料を中詰材とした土のう袋を設置し、
前記中心部を囲む水際となる水衝部には、石材、或いはコンクリート殻、又はそれらの混合材料を中詰材としたネット状袋材を配置してなる、
水制工。
【請求項２】
前記中詰材を詰めたネット状袋材は、流速低減効果を有することを特徴とする、
請求項１記載の水制工。
【請求項３】
前記土のう袋及びネット状袋材は、合成樹脂製の耐候性材料から成ることを特徴とする、
請求項１又は２記載の水制工。
【請求項４】
前記土のう袋は、石材等の中詰材を拘束し、且つ水流にさらされても流出し難いことを特徴とする、
請求項１乃至３のいずれか１項に記載の水制工。
【請求項５】
前記した中詰材を詰めたネット状袋材は、多孔質な空間を有し、生物が生息し易い生態系に配慮した構造であることを特徴とした、
請求項１乃至４のいずれか１項に記載した水制工。
【請求項６】
河川や海岸に陸地から張り出して、或いは河川や海の中に水制工を構築する方法であって、
中心部は土砂、石材、或いはコンクリート殻、又はそれらの混合材料を中詰材とした土のう袋を設置し、
前記中心部を囲む水際となる水衝部には、石材、或いはコンクリート殻、又はそれらの混合材料を中詰材としたネット状袋材を配置する
水制工の構築方法。
【請求項７】
前記した土のう袋やネット状袋材に詰める中詰材として、解体した構造物のコンクリート殻や、掘削した土砂などの建設副産物を採用することを特徴とする、
請求項６記載の水制工の構築方法。
【発明の詳細な説明】
【技術分野】
【０００１】
本発明は、河川や海の中に構築して水流方向を制御するための水制工及びその構築方法に関するものである。
【背景技術】
【０００２】
河川や海岸近くの海の中に構築して、特に河川の水流を弱めたり、河川の流れの方向を制御することにより、堤防の安全性を高め、周辺の生態系の維持・復元を図るための水制工が採用されている。
水制工の形状としては、その平面形状がＴ字形、Ｌ字形、Ｉ字形、円弧形など、様々な形状が存在する。
水制工としては、その水際部分は水流によって洗掘され難く、水際部分に囲まれた中心部分は植生などが可能であることが望ましい。
従来、この水制工としては、粗朶を組み合わせ、その中に石材を詰めたものや、コンクリートブロックを積み上げた構造のものが広く採用されていた。
【０００３】
前記した従来の水制工における課題としては、施工性が悪いことが挙げられる。
粗朶を使用した場合、粗朶を大量に確保するのが難しくなっており、設置場所で、人力で粗朶を組み合わせる必要があり、重機による施工も出来ないという施工性の悪さがある。
コンクリートブロック積みの場合は、多くの場合、現場にて型枠を使用してブロックを製造することが多く、養生する期間が必要で、それらをストックするストックヤードの確保が必要となる。
【０００４】
前記した従来の水制工には、耐久性や構造上の課題もある。
粗朶を使用した施工の場合、粗朶が天然素材のため、紫外線や水位の変化により劣化するため、水制工の機能を半永久的に持続させることができない。
コンクリートブロックの場合では、流水が当たる水制工の上流端や、水制工の先端では、大きな河床洗屈が起きる可能性があるが、コンクリートブロックを用いた水制工は柔軟性がないため、一気に崩れる可能性がある。
【０００５】
更に上記した従来技術では、施工に必要な材料を現場で調達するのではないため、現場で不要となっている建設副産物の再利用には結びつかない。
【先行技術文献】
【特許文献】
【０００６】
【特許文献１】特開２００７−２３９３２１号公報
【発明の概要】
【発明が解決しようとする課題】
【０００７】
解決しようとする課題は、施工性の悪さであり、耐久性や柔軟性が良くないことであり、建設副産物を利用していないことである。
【課題を解決するための手段】
【０００８】
本発明にかかる水制工は、河川や海岸に陸地から張り出して、或いは河川や海の中に構築する水制工であって、
中心部は土砂、石材、或いはコンクリート殻、又はそれらの混合材料を中詰材とした土のう袋を設置し、
前記中心部を囲む水際となる水衝部には、石材、或いはコンクリート殻、又はそれらの混合材料を中詰材としたネット状袋材を配置するものである。
【０００９】
本発明にかかる水制工の構築方法は、河川や海岸に陸地から張り出して、或いは河川や海の中に水制工を構築する方法であって、
中心部は土砂、石材、或いはコンクリート殻、又はそれらの混合材料を中詰材とした土のう袋を設置し、
前記中心部を囲む水際となる水衝部には、石材、或いはコンクリート殻、又はそれらの混合材料を中詰材としたネット状袋材を配置するものである。
【発明の効果】
【００１０】
本発明は以上のような構成を有し、少なくとも下記のいずれか一つの効果を達成する。
＜ａ＞水制工の中心部には、土砂、石材、或いはコンクリート殻、又はそれらの混合材料を中詰材とした土のう袋を設置し、前記中心部を囲む水際となる水衝部には、石材、或いはコンクリート殻、又はそれらの混合材料を中詰材としたネット状袋材を配置するため、それぞれの利点を生かした構造物とすることができる。
＜ｂ＞水衝部に設置する石材などの中詰材を詰めたネット状袋材は、水流を通す多数の孔を有しており、流速低減効果を発揮し、水制工としての機能が向上する。
また、中詰材として石材やコンクリート殻を使用し、土を詰めていないので、水流によって中詰材が押し流されることがない。
＜ｃ＞水際に設置したネット状袋材には、中詰材の間に多くの孔が形成されるため、稚魚やカニ、貝類などの河川や浜辺に生息する様々な生物たちの生態系に良好な影響を与えることになる。
＜ｄ＞土のう袋やネット状袋材に、現場で処分に困っていた土砂やコンクリート殻などの建設副産物を中詰材として詰めることで、建設副産物の再利用を図ることができる。
＜ｅ＞中心部に設置する土のう袋には土砂を詰めるため、比較的表面を平滑に形成出来、車両の通交が充分可能となり、別途仮設道路を造る必要もなくなる。
また、詰めた土に草木などが根づき易く、表面の緑化なども図れる。
＜ｆ＞中詰材を詰める土のう袋やネット状袋材を使用するため、粗朶を用いた水制工と比較し、重機による施工が可能となり、施工性が大幅に向上する。
＜ｇ＞工場で製造した土のう袋やネット状袋材を使用するため、コンクリートブロックを用いた水制工と比較して、養生期間や広大なストックヤードの確保が不要になり、現場での施工速度の向上、工事期間の短縮が可能となる。
＜ｈ＞耐候性の土のう袋やネット状袋材などを使用し、石材などを中詰材とするため、粗朶を用いた水制工と比較し、耐久性に優れており、腐食などの心配がない。
＜ｉ＞石材などを中詰材とした袋或いは袋材という柔軟な部材によって構築するため、河床洗掘に追従することが可能であり、一気に崩れることがなく、水制工としての機能を長く持続することが可能となる。
【図面の簡単な説明】
【００１１】
【図１】本発明を実施した水制工の平面図
【図２】河川において施工した水制工の平面図
【図３】本発明を実施した水制工の一部斜視図
【図４】本発明の水制工の断面図
【図５】本発明で使用した土のう袋の斜視図
【図６】本発明で使用したネット状袋材の斜視図
【発明を実施するための形態】
【００１２】
本発明では、水制工の中心部には土、石材、或いはコンクリート殻、又はそれらの混合材料を中詰材とした土のう袋を設置し、前記中心部を囲む水際となる水衝部には、石材、或いはコンクリート殻、又はそれらの混合材料を中詰材としたネット状袋材を配置し、それぞれの部材の適性を生かした二重構造とした。
【実施例１】
【００１３】
以下、図に示す実施例に基づき、本発明を詳細に説明する。
＜１＞  土のう袋
図５に示すのは、本発明で使用する土のう袋１であり、耐候性を有する化学繊維を使用した布地やシート地によって形成されており、その形状として丸筒形状や各筒形状に形成されている。
土のう袋１は、その大きさとして０．５ｍ3以上であることが好ましい。
土のう袋１は、上端で絞るようにして封をし、吊り上げるためのベルト２が設けられている。
土のう袋１内には、土砂、石材、或いはコンクリート殻、又はそれらの混合材料を中詰材３として詰める。
土のう袋は、内側に収納した土砂等がバラけないように拘束し、且つ水流にさらされても流出し難い材質から成っていることが好ましい。
【００１４】
＜２＞  ネット状袋材
図６に示すのは、本発明で使用するネット状袋材４であって、多数の網目を有するネット状の袋に形成されている。
ネットは、耐候性を有する化学繊維を使用して形成したもので、その形状はキンチャク袋形状に形成されている。
ネット状袋材４は、上端で絞るようにして封をし、絞った部分に取り付けられているロープにクレーンのフック６をかけて吊り上げることが出来る。
ネット状袋材４には、石材或いはコンクリート殻、或いはそれらの混合材料を中詰材５として詰める。
【００１５】
＜３＞  水制工
図２に示すのは、河川７において本発明を実施した水制工の平面図であり、堤防８から複数個のＴ字形の水制工Ａを突設してあり、河川７の幅方向中間部に複数個のほぼ直線形状の水制工Ｂを構築してある。
水制工Ａ・Ｂの河川７の流れ方向の長さＬは８０ｍであって、隣り合う水制工Ａ・Ｂ間の間隔Ｗは２０ｍである。
【００１６】
＜４＞  中心部
水制工Ａ・Ｂの中心部Ｃ、つまりは水制工Ａ・Ｂの周囲の水際でない部分には、中詰材３を詰めた土のう袋１を設置する。
図１では、一点鎖線で囲まれた部分が中心部Ｃである。
設置にはクレーンなどを使用して吊り上げ、設置が可能である。
土のう袋１は、水制工Ａ・Ｂの中心部分の幅方向に必要個数並べて置き、その高さ方向にも必要個数積み上げることができる。
土のう袋１内には、土、石材或いはコンクリート殻、又はそれらの混合材料を詰めるため、比較的表面を平滑にすることができ、その上を車両などが通過することが可能で、別途仮設道路を構築する手間が不要となる。
また土のう袋１内に土を詰めておくことで、中心部Ｃ表面に草木を植生することも可能となる。
【００１７】
＜５＞  水衝部
前記した水制工Ａ・Ｂの外周側の部分であって、水流にさらされる水際部分を水衝部Ｄと呼び、この水衝部Ｄには中詰材５を詰めたネット状袋材４を設置する。
ネット状袋材４の設置にもクレーンなどの重機が使用できる。
ネット状袋材４は、幅方向に必要個数並べて設置し、高さ方向にも必要個数積み上げることができる。
ネット状袋材４内には、石材或いはコンクリート殻、又はそれらの混合材料を詰めるもので、土を詰めていないため、水流にさらされても中詰材５が押し流されてしまうことが少ない。
また、ネット状袋材４には、石材やコンクリート殻などの中詰材５を詰めてあるため、網目を通って内側に入った水流は、中詰材５の間に生じた無数の孔（多孔質）の間に流れ込み、流速低減効果を発揮する。
これにより、水制工Ａ・Ｂとしての機能が向上する。
また、前記した中詰材５の間に生じた無数の孔の中は、稚魚やカニなどの生物の生息可能な場所となり、生態系の維持・向上を図ることができ、生態系に配慮した水制工となる。
【００１８】
＜６＞  水衝部の植生
前記した水制工Ａ・Ｂの水際部分となる水衝部Ｄは、石材やコンクリート殻の中詰材５を詰め、土は詰めないが、砂が中詰材５同士の間に溜まり、その部分から植物が生育することもある。
【符号の説明】
【００１９】
Ａ  水制工
Ｂ  水制工
Ｃ  中心部
Ｄ  水衝部
１  土のう袋
２  ベルト
３  中詰材
４  ネット状袋材
５  中詰材
６  フック
７  河川
８  堤防
【図１】
2010180637.tif 000003
【図２】
2010180637.tif 000004
【図３】
2010180637.tif 000005
【図４】
2010180637.tif 000006
【図５】
2010180637.tif 000007
【図６】
2010180637.tif 000008